(57)【要約】【課題】ニュースという時々刻々と内容・進行が変化する番組に対して、番組編成を容易かつ柔軟に変えられる仕組みを提供する。【解決手段】ニュース用マスター送出装置１４は、ＤＳ装置１２を通じてＥＤＰＳ１１から送られてくる番組編成情報を、ニュースＤＳ装置１４３に取り込み、ニュースＤＳ装置１４３により、オペレータの開始指示入力に応じて、通常番組用システム１３からニュース用システム１４へ送出制御を移行させ、終了指示入力に応じて、ニュース用システム１４から通常番組用システム１３へ送出制御を戻す。送出制御がニュース側に移管させた場合には、番組枠を任意に組み立て、それぞれの番組枠で使用するコンテンツの選択指示、送出時間をニュース用ＡＰＣ装置１４４にセットする。【選択図】図１
2006262318.tif 000002
【特許請求の範囲】
【請求項１】
番組編成情報に基づいて番組それぞれのコンテンツを指定時刻に再生させ選択的に放送信号として送出する放送信号送出システムにおいて、
前記番組編成情報に基づいて前記コンテンツの送出制御を通常通り実行する第１の送出装置と、
要求に応じて前記第１の送出装置から送出制御を移管し、前記番組編成情報の基本番組枠に基づいて特別番組枠を作成し、その特別番組枠で任意のコンテンツの送出制御を実行し、前記特別番組枠終了後は前記第１の送出装置に送出制御を移管させる第２の送出装置とを具備することを特徴とする放送信号送出システム。
【請求項２】
さらに、前記第２の送出装置は、送出制御が移管された状態で、前記第１の送出装置に格納させるコンテンツの再生送出を制御することを特徴とする放送信号送出システム。
【発明の詳細な説明】
【技術分野】
【０００１】
本発明は、例えばニュース番組を制作する放送局スタジオシステムにおいて、コンテンツ素材を予め決められたスケジュールで自動的に選択し、放送信号として送出する放送信号送出システムに関する。
【背景技術】
【０００２】
周知のように、放送局にあっては、オンエア前にＣＭ（広告）／番組／提供案内などの各種コンテンツ素材をＣＭバンク装置、ＶＡＦ（ビデオ・オーディオファイル）装置、ＶＴＲ（ビデオテープレコーダ）等のコンテンツ格納装置に格納しておく。そして、放送送出システムにて、ＤＳ（Data Server）装置とＡＰＣ（Automatic Program Control）装置から予め決められたスケジュールに従って、複数のコンテンツ格納装置から所定のコンテンツを順次読み出し、切替装置により選択的に導出して、１チャンネルの放送信号として送出する仕組みになっている。
【０００３】
特に、ニュース番組を制作する放送局スタジオシステムでは、映像の最終出口である放送信号送出システムとして、固定内容の番組のオンエア用であるマスター送出システムに加え、可変内容の報道等のためのニュース制作システムとしてサブシステムが用意されている。番組編成（番組の枠、ＣＭの入る時間等）は、マスター送出システム側のＤＳ（Data Server）装置とＡＰＣ装置より決められたスケジュールでオンエア制御されており、サブシステム内では受身的にその番組枠内をニュースで埋める仕組みである。
【０００４】
しかしながら、ニュースという時々刻々と内容・進行が変化する番組制作で、制作し易くかつ魅力ある番組作りにするために、マスター送出システムで決められた枠の制約内で番組を作るのではなく、ニュースの内容に応じて番組編成を容易かつ柔軟に変える仕組みが要求されるようになってきている。今までは、変化するニュース内容・進行に応じて、柔軟に番組編成を変更することが困難であった。
【０００５】
尚、本発明に関連する番組制作送出装置については、特許文献１にその概要が記載されている。
【特許文献１】特開平１０−２７６１５７号公報
【発明の開示】
【発明が解決しようとする課題】
【０００６】
以上述べたように、従来の放送信号送出システムでは、固定内容の番組用のメインシステムの下位に可変内容の報道のためのニュース制作システムとしてサブシステムが用意されているが、ニュースの内容に応じて番組編成を容易かつ柔軟に変える仕組みが要求されつつあるにもかかわらず、マスター送出システムで決められた枠の制約内で番組を作ることが余儀なくされ、変化するニュース内容・進行に応じて、柔軟に番組編成を変更することが困難であった。
【０００７】
本発明は上記の課題を解決し、例えばニュースという時々刻々と内容・進行が変化する番組に対して、番組編成を容易かつ柔軟に変えられる仕組みを有する放送信号送出システムを提供することを目的とする。
【課題を解決するための手段】
【０００８】
上記の目的を達成するために、本発明は、番組編成情報に基づいて番組それぞれのコンテンツを指定時刻に再生させ選択的に放送信号として送出する放送信号送出システムにおいて、前記番組編成情報に基づいて前記コンテンツの送出制御を通常通り実行する第１の送出装置と、要求に応じて前記第１の送出装置から送出制御を移管し、前記番組編成情報の基本番組枠に基づいて特別番組枠を作成し、その特別番組枠で任意のコンテンツの送出制御を実行し、前記特別番組枠終了後は前記第１の送出装置に送出制御を移管させる第２の送出装置とを具備することを特徴とする。
【発明の効果】
【０００９】
上記した発明によれば、通常は第１の送出装置で送出制御を実行し、特別番組放送を要する場合に、送出制御を第２の送出装置に移管して適宜番組枠を変更し、任意のコンテンツの送出制御を実行可能となる。これにより、例えばニュースという時々刻々と内容・進行が変化する番組に対して、番組編成を容易かつ柔軟に変えられる仕組みを有する放送信号送出システムを提供することができる。
【発明を実施するための最良の形態】
【００１０】
以下、本発明の実施の形態について図面を参照して詳細に説明する。
【００１１】
図１は本発明に係る放送信号送出システムの一実施形態を示すブロック構成図である。図１において、１１はＥＤＰＳ（営業放送システム）で、このＥＤＰＳ１１は時間帯の番組枠を決定し、各番組枠で放送するコンテンツ素材とその送出時刻を決定する番組編成情報を作成するためのもので、ここで作成された番組編成情報はＤＳ装置１２を介し、通常番組用マスター送出装置１３、マスター送出装置１３と対等の関係にあるニュース用マスター送出装置１４に送られる。
【００１２】
通常番組用マスター送出装置１３において、１３１，１３２はそれぞれ情報ＬＡＮ、制御ＬＡＮを示している。ＤＳ（データサーバ）装置１２を通じてＥＤＰＳ（営業放送システム）１１から送られてくる番組編成情報は、情報ＬＡＮ１３１を通じてＡＰＣ装置１３３に入力される。ＡＰＣ装置１３３は、番組編成情報に基づいて、所定のタイミングでコンテンツを指定し、送出時刻に所定のコンテンツが送出されるように、制御ＬＡＮを通じてＶＴＲ１３４、ＣＭバンク装置１３５、ＶＡＦ装置１３６の再生を制御し、マスタースイッチャー１３７に読み出されたコンテンツをオンエア信号として選択的に導出させる。
【００１３】
一方、上記ニュース用マスター送出装置１４において、１４１，１４２はそれぞれ情報ＬＡＮ、制御ＬＡＮを示している。ＤＳ（データサーバ）装置１２を通じてＥＤＰＳ（営業放送システム）１１から送られてくる番組編成情報（ここでは番組枠の基本情報のみでよい）は、ニュースＤＳ装置１４３に取り込まれる。このニュースＤＳ装置１４３は、オペレータの開始指示入力に応じて、通常番組用マスター送出装置１３からニュース用マスター送出装置１４へ送出制御を移管させ、終了指示入力に応じて、ニュース用マスター送出装置１４から通常番組用マスター送出装置１３へ送出制御を戻す。そして、番組枠を任意に組み立て、それぞれの番組枠で使用するコンテンツの選択指示、送出時間をニュース用ＡＰＣ装置１４４にセットする。
【００１４】
ニュース用マスター送出装置１４は、生放送用の撮像カメラ１４５、ニュース素材を収録したＶＴＲ１４６を備えるが、ニュース用ＡＰＣ装置１４４では、これらの機器１４５，１４６と共に、通常番組用マスター送出装置１３側の機器１３４〜１３６も再生制御を可能とする。システム１４内の機器１４５，１４６の読み出し出力はニュース用ＡＰＳ装置の制御によってニュース送出用スイッチャー１４７で選択出力されるが、この出力は通常番組側のシステム１３のスイッチャー１３７に送られる。このスイッチャー１３７も、ニュース用システム１４側に送出制御機能が移っているときは、ニュース用ＡＰＳ装置１４４の制御下に置かれ、ニュース送出用スイッチャー１４７から出力されるニュース情報もスイッチャー１３７から本線に送出され、これによってオンエアが可能となる。
【００１５】
上記構成において、ニュース用マスター送出装置１４におけるニュースＤＳ装置１４３の処理の流れについて、図２を参照して説明する。
【００１６】
まず、オペレータからニュース枠編成開始要求があると（Ｓ１）、ニュース側送出制御への移管指示をＤＳ装置１２に送り、送出制御をニュース側システム１４に移管させる（Ｓ２）。移管完了後、ニュース枠を見直し（Ｓ３）、必要に応じて増減する（Ｓ４）。続いて、枠内で使用するコンテンツとその送出時刻を決定し（Ｓ３）、ＡＰＳ装置１４４にセットする（Ｓ４）。ニュース情報の状況からさらに再編が必要かどうかが判断され、オペレータからその再編開始要求を受けるたびに、上記ステップＳ４〜Ｓ６を繰り返し実行する（Ｓ７）。要求がなく、オペレータからニュース終了指示があった場合には（Ｓ８）、ニュース終了通知をＤＳ装置１２に送り、送出制御を通常番組側システム１３に移管させる（Ｓ９）。
【００１７】
以上のシステム構成によれば、通常番組枠から外れてニュース番組枠を比較的容易にかつ流動的な変更が可能となり、変化するニュース内容・進行に応じて、柔軟に番組編成を変更することができる。
【００１８】
尚、本発明は上記した実施の形態そのままに限定されるものではなく、実施段階ではその要旨を逸脱しない範囲で構成要素を種々変形して具体化することができる。例えば、ニュースに限らず、他の緊急対応が必要な情報、例えばスポーツ番組の時間変更や延長等の送出にも利用可能である。
【００１９】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００２０】
【図１】本発明に係る放送信号送出システムの一実施形態の構成を示すブロック図。
【図２】同実施形態のニュース用マスター送出装置の処理内容を示すフローチャート。
【符号の説明】
【００２１】
１１…ＥＤＰＳ（営業放送システム）、
１２…ＤＳ（データサーバ）装置、
１３…通常番組用マスター送出装置
１３１…情報ＬＡＮ、
１３２…制御ＬＡＮ、
１３３…ＡＰＣ装置、
１３４…ＶＴＲ、
１３５…ＣＭバンク装置、
１３６…ＶＡＦ装置、
１３７…マスタースイッチャー（ＳＷｅｒ）、
１４…ニュース用マスター送出装置、
１４１…情報ＬＡＮ、
１４２…制御ＬＡＮ、
１４３…ニュースＤＳ装置、
１４４…ニュース用ＡＰＣ装置、
１４５…生放送用ＴＶカメラ、
１４６…ＶＴＲ、
１４７…ニュース送出用スイッチャー（ＳＷｅｒ）。
【図１】
2006262318.tif 000003
【図２】
2006262318.tif 000004